(57)【特許請求の範囲】
【請求項１】
パルス幅の異なる複数種類のデータパルスが複数配されてなるタイムコードの受信を行う電波受信装置において、
前記タイムコードによって変調された電波を受信して前記タイムコードの復調を行う受信部と、
前記複数種類のデータパルスのうちパルス幅が一番広く、且つ、前記タイムコードのフレーム中の予め定められた位置に固定的に配されている第１パルスを少なくとも包含する送信期間に、前記受信部に受信および復調の処理を行わせる受信制御手段と、
前記第１パルスの送信期間に受信され復調されたデータパルスの信号波形に基づいてタイムコードの秒検出を行う秒検出手段と、
復調されたデータパルスのデータ種を判別するデータ種判別手段と、
内部時計の秒修正制御を行う秒修正制御手段と、
を備え、
前記受信制御手段は、
前記タイムコードのフレーム中に固定的に配されている前記第１パルスおよびそれに隣接して配されている他の第２パルスの送信期間を包含する第１送信期間と、
前記タイムコードのフレーム中に固定的に配されている複数の前記第１パルスの各送信期間をそれぞれ包含する第２〜第ｎ（ｎは２以上の自然数）送信期間とに、
前記受信部に受信および復調の処理を行わせ、
前記秒修正制御手段は、
前記データ種判別手段によって前記第１送信期間の受信信号から前記第１パルスと前記第２パルスとが判別された場合に、これらの受信信号に基づき第１段階の秒修正を行い、
この第１段階の秒修正後の時間に基づき、前記第２〜第ｎ送信期間の受信信号から前記第１パルスの位置を判別し、且つ、これらの受信信号に基づいて前記第１段階の秒修正より詳細な第２段階の秒修正を行うことを特徴とする電波受信装置。
【請求項２】
パルス幅の異なる複数種類のデータパルスが複数配されてなるタイムコードの受信を行う電波受信装置において、
前記タイムコードによって変調された電波を受信して前記タイムコードの復調を行う受信部と、
前記複数種類のデータパルスのうちパルス幅が一番広く、且つ、前記タイムコードのフレーム中の予め定められた位置に固定的に配されている第１パルスを少なくとも包含する送信期間に、前記受信部に受信および復調の処理を行わせる受信制御手段と、
前記第１パルスの送信期間に受信され復調されたデータパルスの信号波形に基づいてタイムコードの秒検出を行う秒検出手段と、
を備え、
前記受信制御手段は、
前記第１パルスの送信期間を包含する所定の受信ウインドウ期間に前記受信部を動作状態とする一方、当該受信ウインドウ期間の前後の期間に前記受信部を非動作状態とし、
タイムコードの通常受信が前回成功したとき、或いは、前記秒検出手段により秒検出が前回成功したときからの経過時間が長くなった場合に、
前記受信ウインドウ期間の受信および復調の処理を複数のフレーム期間で行わせるとともに、各フレーム期間ごとに前記受信ウインドウ期間の位置を前後にスライドさせて前記受信および復調の処理を行わせることを特徴とする電波受信装置。
【請求項３】
前記受信制御手段は、
前記タイムコードのフレーム中の複数の位置に固定的に配されている複数の前記第１パルスの送信期間に、前記受信部に受信および復調の処理を行わせ、
前記秒検出手段は、
前記複数の第１パルスの送信期間に受信され復調された複数のデータパルスの信号波形を平均化して秒検出を行う構成であることを特徴とする請求項１又は２記載の電波受信装置。
【請求項４】
前記複数種類のデータパルスには、タイムコードのフレーム位置を表わすポジションデータパルスと、データ値“１”を表わす１データパルスと、データ値“０”を表わす０データパルスとがあり、
前記第１パルスは前記０データパルスであることを特徴とする請求項１又は２記載の電波受信装置。
【請求項５】
前記第１パルスの送信期間に受信され前記データ種判別手段により判別された信号のデータ種が第１パルスでなかった場合にタイムコードの受信処理を中止する受信中止制御手段を備えていることを特徴とする請求項１記載の電波受信装置。
【請求項６】
復調された信号のデータ種を判別するデータ種判別手段と、
前記第１パルスの送信期間に受信され前記データ種判別手段により判別された信号のデータ種が第１パルスでなかった場合にタイムコードの受信処理を中止する受信中止制御手段と、
を備えていることを特徴とする請求項２記載の電波受信装置。
【請求項７】
前記受信制御手段は、
前記第１パルスの送信期間を包含する所定の受信ウインドウ期間に前記受信部を動作状態とする一方、当該受信ウインドウ期間の前後の期間に前記受信部を非動作状態とすることを特徴とする請求項１記載の電波受信装置。
【請求項８】
前記受信制御手段は、
タイムコードの通常受信が前回成功したとき、或いは、前記秒検出手段により秒検出が前回成功したときからの経過時間が長くなるに従って、前記受信ウインドウ期間の時間幅が広くなるように制御することを特徴とする請求項２又は７記載の電波受信装置。
【請求項９】
前記受信制御手段は、
タイムコードの通常受信が前回成功したとき、或いは、前記秒検出手段により秒検出が前回成功したときからの経過時間が長くなった場合に、
前記受信ウインドウ期間の受信および復調の処理を複数のフレーム期間で行わせるとともに、各フレーム期間ごとに前記受信ウインドウ期間の位置を前後にスライドさせて前記受信および復調の処理を行わせることを特徴とする請求項７記載の電波受信装置。
【請求項１０】
前記受信ウインドウ期間はタイムコードの１フレーム中に複数設定されるとともに、
前記秒検出手段は、
前記受信ウインドウ期間を前後にスライドさせながら複数のフレーム期間で受信および復調の処理を行う際、１フレーム中の複数の受信ウインドウ期間で受信した信号が前記第１パルスであると判別された場合に、
これらの第１パルスの信号を用いて秒検出を行うことを特徴とする請求項２又は９記載の電波受信装置。
【請求項１１】
請求項１〜１０の何れか１項に記載の電波受信装置を備え、
前記電波受信装置により受信されたタイムコードに基づいて内部時計の時刻修正を行うように構成されている電波時計。
【発明の詳細な説明】
【技術分野】
【０００１】
この発明は、タイムコードにより変調された電波の受信を行う電波受信装置、並びに、受信したタイムコードに基づいて内部時計の修正を行う電波時計に関する。
【背景技術】
【０００２】
以前より、タイムコードの受信を行って内部時計を自動的に修正する電波時計がある。タイムコードは４０ｋＨｚや６０ｋＨｚの搬送波をＡＭ変調して送信されるが、電波状況が悪いと受信したタイムコードの信号波形も崩れてくる。
【０００３】
タイムコードは、日本の標準電波において、３種類のデータパルスが１秒間隔で６０個配列されて１フレームとなるコードである。３種類のデータパルスには、パルス幅が０．２秒のポジションマーカパルスと、パルス幅が０．５秒の１データパルスと、パルス幅が０．８秒の１データパルスがあり、ポジションマーカパルスは、タイムコードのフレーム位置を表わす信号、１データパルスはデータ値「１」を表わす信号、０データパルスはデータ値「０」を表わす信号である。
【０００４】
電波状況が悪いと、受信したタイムコードの信号に、パルス状の外来ノイズやホワイトノイズが混入されて、正確なデータパルスの信号波形が得られなくなる。そこで、従来、正確な信号波形が得られない場合でも、タイムコードの正しい判別を可能とする種々の提案がなされている（例えば特許文献１）。
【特許文献１】特開２００３−２１５２７７号公報
【発明の開示】
【発明が解決しようとする課題】
【０００５】
外来ノイズはデータパルスの信号振幅が小さいときに影響大となり、信号振幅が大きいときに影響小となる。そのため、３種類のデータパルスの中では、パルス幅の一番広い０データパルスが外来ノイズの影響を最も受け難いと考えられる。
【０００６】
また、タイムコードにおいては、年月日や時分は０データパルスと１データパルスの組み合わせによるデータ値により表されるが、０秒点はタイムコードのフレーム開始点により表わされる。すなわち、２個のポジションマーカパルス（ポジションマーカパルスＰ０とマーカパルスＭ）が連続して受信されるタイミングの、２番目のパルスの立ち上がり点が０秒タイミングを表わすこととなっている。
【０００７】
従来、０秒タイミングを検出するのに、ポジションマーカパルスを受信して０秒タイミングを検出する方式が一般的に考えられる。しかしながら、このような方式では、電波状況の悪いときに外来ノイズの影響を大きくうけて、ポジションマーカパルスの受信に失敗し、０秒タイミングの検出がうまく出来なかったり、そのために何度も電波受信を繰り返して無駄な消費電力が発生するという課題が考えられた。また、０秒タイミングを検出する場合でもタイムコードの全データパルスを受信する方式を採用するものもあったが、このような方式では、不必要な受信動作により無駄な消費電力が増大するという課題があった。
【０００８】
この発明の目的は、外来ノイズの影響を余り受けずに０秒タイミングの検出や内部時計の秒修正を行うことのできる電波受信装置や電波時計を提供することにある。また、０秒タイミングの検出および内部時計の秒修正の処理の際に無駄な電力消費を省くことのできる電波受信装置や電波時計を提供することにある。
【課題を解決するための手段】
【０００９】
上記目的を達成するため、本発明は、
パルス幅の異なる複数種類のデータパルスが複数配されてなるタイムコードの受信を行う電波受信装置において、
前記タイムコードによって変調された電波を受信して前記タイムコードの復調を行う受信部と、
前記複数種類のデータパルスのうちパルス幅が一番広く、且つ、前記タイムコードのフレーム中の予め定められた位置に固定的に配されている第１パルスを少なくとも包含する送信期間に、前記受信部に受信および復調の処理を行わせる受信制御手段と、
前記第１パルスの送信期間に受信され復調されたデータパルスの信号波形に基づいてタイムコードの秒検出を行う秒検出手段と、
復調されたデータパルスのデータ種を判別するデータ種判別手段と、
内部時計の秒修正制御を行う秒修正制御手段と、
を備え、
前記受信制御手段は、
前記タイムコードのフレーム中に固定的に配されている前記第１パルスおよびそれに隣接して配されている他の第２パルスの送信期間を包含する第１送信期間と、
前記タイムコードのフレーム中に固定的に配されている複数の前記第１パルスの各送信期間をそれぞれ包含する第２〜第ｎ（ｎは２以上の自然数）送信期間とに、
前記受信部に受信および復調の処理を行わせ、
前記秒修正制御手段は、
前記データ種判別手段によって前記第１送信期間の受信信号から前記第１パルスと前記第２パルスとが判別された場合に、これらの受信信号に基づき第１段階の秒修正を行い、
この第１段階の秒修正後の時間に基づき、前記第２〜第ｎ送信期間の受信信号から前記第１パルスの位置を判別し、且つ、これらの受信信号に基づいて前記第１段階の秒修正より詳細な第２段階の秒修正を行うことを特徴とする電波受信装置である。
【００１０】
上記目的を達成するため、本発明は、
パルス幅の異なる複数種類のデータパルスが複数配されてなるタイムコードの受信を行う電波受信装置において、
前記タイムコードによって変調された電波を受信して前記タイムコードの復調を行う受信部と、
前記複数種類のデータパルスのうちパルス幅が一番広く、且つ、前記タイムコードのフレーム中の予め定められた位置に固定的に配されている第１パルスを少なくとも包含する送信期間に、前記受信部に受信および復調の処理を行わせる受信制御手段と、
前記第１パルスの送信期間に受信され復調されたデータパルスの信号波形に基づいてタイムコードの秒検出を行う秒検出手段と、
を備え、
前記受信制御手段は、
前記第１パルスの送信期間を包含する所定の受信ウインドウ期間に前記受信部を動作状態とする一方、当該受信ウインドウ期間の前後の期間に前記受信部を非動作状態とし、
タイムコードの通常受信が前回成功したとき、或いは、前記秒検出手段により秒検出が前回成功したときからの経過時間が長くなった場合に、
前記受信ウインドウ期間の受信および復調の処理を複数のフレーム期間で行わせるとともに、各フレーム期間ごとに前記受信ウインドウ期間の位置を前後にスライドさせて前記受信および復調の処理を行わせることを特徴とする電波受信装置である。
【発明の効果】
【００１９】
本発明に従うと、外来ノイズの影響の受け難いパルス幅の広いデータパルスで、且つ、タイムコード中の予め定められた位置に固定的に配されている第１データパルスを用いて秒検出を行うので、パルス幅の小さいデータパルスを用いて秒検出を行う場合と比較して、電波状況の悪いときでも失敗の少ない秒検出を行うことができる。また、必要なデータパルスの送信期間にのみ受信動作を行って秒検出することで、無駄な消費電力を削減できるという効果がある。
【発明を実施するための最良の形態】
【００２０】
以下、本発明の実施の形態を図面に基づいて説明する。
【００２１】
［第１実施形態］
図１は、本発明の第１実施形態の電波時計の内部構成を示すブロック図である。
【００２２】
この実施形態の電波時計１は、例えば腕時計の時計本体などで、標準電波を受信して自動的に時刻修正を行う機能を有するものである。この電波時計１には、時刻表示等が行われる表示手段１１と、装置の全体的な制御を行う制御回路１０と、制御データや制御プログラムなどが格納された記憶手段１２と、複数の操作ボタンを有する入力手段１３と、時刻の計時を行う時計回路１５と、時計回路１５に所定の周波数信号を供給する発振回路１４と、各部に動作電圧を供給する例えば電池などの電源１７と、標準電波を受信するアンテナ１９と、標準電波を受信してタイムコードを復調する電波受信ＩＣ２０と、電波受信ＩＣ２０へ電源の供給／遮断を行うスイッチ回路ＳＷ１等が設けられている。
【００２３】
制御回路１０は、例えばマイクロコンピュータなどであり、電波受信ＩＣ２０から送られてくる受信信号をＡＤ変換して入力するＡＤコンバータや、制御プログラムを実行するＣＰＵ（中央演算処理装置）、ＣＰＵに作業用のメモリ空間を提供するＲＡＭ（Random Access Memory）等を内蔵している。
【００２４】
電波受信ＩＣ２０は、受信する標準電波の周波数の切り換えを行う同調回路２１と、電波受信およびタイムコードの復調処理を行う受信回路２２等を備えている。同調回路２１は、例えば、同調コンデンサとその接続の切り換えを行うスイッチ回路等を有し、同調コンデンサの接続を切り換えることで受信周波数のチャンネルを切り換える。受信回路２２は、受信信号を増幅するアンプ、利得制御を行う自動利得制御回路、受信信号からノイズ成分を除去するフィルタ回路、タイムコードの復調を行う検波回路などを有している。
【００２５】
電波受信ＩＣ２０は、電源１７から動作電圧の供給を受けて動作する。そして、制御回路１０の制御によって、例えばスイッチ回路ＳＷ１がオン・オフに切り換えられることで、電波受信ＩＣ２０を動作状態と非動作状態とに切り換えることが可能になっている。非動作状態のときには電波受信ＩＣ２０での電流消費が停止される。
【００２６】
次に、この実施形態の電波時計１におけるタイムコードの受信処理の動作について説明する。
【００２７】
この実施形態の電波時計１では、先ず、電波状況の良好なときなどに、通常モードでの電波受信を行って年月日時分秒の修正を行っておく。例えば、タイムコードの内容を誤認しないように、３フレーム分のタイムコードを連続的に受信し、受信したタイムコードのデータ内容に基づいて時計回路１５の年月日時分の修正を行う。また、受信したタイムコードのデータパルスの立ち上がり点の検出に基づいて時計回路１５の秒の修正を行う。
【００２８】
通常モードでの電波受信が成功したら、次からは秒修正モードに移行する。時計回路１５は、発振回路１４の精度によって、例えば、日差０．５秒以下等の小さな誤差しか生じない。そのため、一度、時分の修正を行ってしまえば、その後、１月程度は電波受信を行わなくても時分にずれが生じることはない。したがって、一度、通常モードでの電波受信が成功したら、次の電波受信処理からは秒修正のみを行う秒修正モードに移行する。秒修正モードにおける電波受信処理（秒修正受信処理と呼ぶ）は、例えば半日ごとや１日ごとなど適宜なタイミングで実行されるようにセットされる。
【００２９】
図２には、秒検出受信処理における受信ウインドウ期間の一例を示した説明図を示す。
【００３０】
秒修正受信処理では、標準電波を受信する期間は図２に示す第１〜第５の受信ウインドウ期間Ｗ０〜Ｗ４に限定される。日本の標準電波においてはタイムコード中、予め定められた位置に所定のデータパルスが固定的に配されるフォーマットとなっている。例えば、フレームの先頭位置を表わすマーカパルスＭとフレームの区切り位置を表わすポジションマーカパルスＰ０〜Ｐ５、それに加えて、例えば４秒目、１０−１１秒目、１４秒目、２０−２１秒目、２４秒目、３４−３５秒目、５５〜５８秒目などに配される０データパルス（図２中の“０”）などが固定的に配されている。
【００３１】
上述した第１〜第５の受信ウインドウ期間Ｗ０〜Ｗ４は、上記の固定的な０データパルスのうち、４秒目、１４秒目、２４秒目、３４秒目、５８秒目の０データパルスの送信期間を含む期間に設定されている。また、第１受信ウインドウ期間Ｗ０については、５８秒目の０データパルスと５９秒目のポジションマーカパルスＰ０を含む期間に設定されている。これら受信ウインドウ期間Ｗ０〜Ｗ４の時間幅は、初期段階で２秒程度に設定され、その後、所定条件で時間幅が広げられるようになっている。初期段階で２秒程度の時間幅とすることで、時計回路１５に１日分程度の誤差が生じた場合でも、この受信ウインドウ期間Ｗ０〜Ｗ４で固定的な０データパルスを受信できるようになっている。なお、第１受信ウインドウ期間Ｗ０では、ポジションマーカパルスＰ０の受信も行うため、初期段階で２秒よりも幅広に設定しておいても良い。
【００３２】
秒修正受信処理においては、この第１〜第５の受信ウインドウ期間Ｗ０〜Ｗ４にのみ電波受信ＩＣ２０に電源を供給して動作状態とし、その他の期間には電波受信ＩＣ２０への電源を遮断して非動作状態とするようになっている。これにより、秒修正のために無駄のない受信処理がなされて消費電力の低減が図られる。
【００３３】
図３には、秒修正受信処理で取得される受信データを説明する図を示す。図３（ａ）はその受信時刻、（ｂ）は受信データを示す。図４には、秒修正受信処理で得られた０データパルスの波形図を示す。図４（ａ）は第１段階の秒修正の際に得られる１個の０データパルスの波形図、（ｂ）は第２段階の秒修正の際に得られる複数個の０データパルスを平均化した波形図である。
【００３４】
秒修正受信処理が開始されると、先ず、第１受信ウインドウ期間Ｗ０に受信処理を行って５８秒目の０データパルスと５９秒目のポジションマーカパルスＰ０との受信を行う。受信信号は制御回路１０によりＡＤ変換されて取り込まれ、制御回路１０内部のデータパルスの判別処理によって受信信号に含まれるデータパルスの種別が行われる。データパルスの判別処理は、制御回路１０のソフトウエア処理により種々の従来手法を用いて実現することが可能であり、最も単純なものであれば、ハイレベルとローレベルを識別するしきい値で、データパルスの信号値を比較して、ハイレベル期間を計測することで、データパルスの種別を判別することができる。
【００３５】
このようなデータパルスの判別処理により第１受信ウインドウ期間Ｗ０に０データパルスとポジションマーカパルスＰ０が含まれていると判定されたら、これにより、先ず、大まかな第１段階の秒修正処理を制御回路１０が実行する。第１段階の秒修正処理は例えば０．２秒単位とか０．５秒単位など大きな単位で大まかに行うものである。制御回路１は、先ず、０データパルスやポジションマーカパルスＰ０の立ち上がりのタイミングを検出し、これらの立ち上がり点が時計回路１５の５８秒、５９秒のタイミングから大きくずれていないか判別する。そして、大きくずれている場合には、上記の大まかな単位で修正する。例えば、図３に示すように、第１受信ウインドウ期間Ｗ０に受信された０データパルスＳの立ち上がり点ｓ０が、時計回路１５の５５．３秒のタイミングであった場合、誤差は２．７秒である。しかし、このときの０データパルスＳの立ち上がり点ｓ０はさほど正確でないものと扱い、図４（ａ）に示すように、この立ち上がり点ｓ０が時計回路１５の５８秒点に一番近づくように大まかな修正を行う。例えば、２．７秒の誤差なので時計回路１５の秒の値を０．５秒単位で５ステップ分進める。この修正により、時計回路１５の秒の誤差が例えば０．５秒以内となり、続いて受信処理を行う第２〜第５受信ウインドウ期間Ｗ１〜Ｗ４において、受信対象の固定された０データパルスを見失ってしまうことが防止される。
【００３６】
図５には、ポジションマーカパルスに対する外来ノイズの影響を説明する波形図を、図６には、０データパルスに対する外来ノイズの影響を説明する波形図を、それぞれ示す。図５と図６において、（ａ）はその信号波形、（ｂ）は判定データの波形である。
【００３７】
第１受信ウインドウ期間Ｗ０の受信処理によって大まかな秒修正の処理が行われたら、次いで、この修正後の時計回路１５の時刻を用いて、第２〜第５の受信ウインドウ期間Ｗ１〜Ｗ４で受信された０データパルスの判別を行う。０データパルスは、３種類のデータパルスのうちパルス幅が０．８秒と最長のものであり、図６（ａ），（ｂ）に示すように、パルス幅の広い０データパルスでは、パルス状の外来ノイズＮ１，Ｎ２が混入した場合でもＳ／Ｎ比が低くならないことから、データ種の判別に大きな影響が及ぼされることがない。従って、上記のデータ判別の際には、０データパルスと正確に判定される確度が高くなる。一方、図５（ａ），（ｂ）に示すように、例えば、パルス幅の小さいポジションマーカパルスでは、上記と同様のパルス状の外来ノイズＮ１，Ｎ２が混入することで、制御回路１０でデータ種の判別を行う際に０．５秒のパルス幅を有する１データパルスと間違って判定されてしまうなどの事態が生じえる。
【００３８】
そして、受信対象の０データパルスのデータ判別が正常に済んだら、次いで、第２〜第５の受信ウインドウ期間Ｗ１〜Ｗ４で受信した受信対象の０データパルスの信号値を合成して平均化する。具体的には、各信号値をＡＤコンバータでデータサンプリングしてＲＡＭに保存し、これら１０秒ごとに繰り返される各信号値を足し合わせて信号数「４」で除算する。図４（ｂ）に示すように、この平均化によりホワイトノイズや外来ノイズの影響がより減少されて綺麗な０データパルスＳ１の波形を得ることができる。そして、この平均化された信号波形の立ち上がり点ｓ１を正確なコンマゼロ秒点として検出し、これにより時計回路１５の第２段階の秒修正を行う。第２段階の秒修正は時計回路１５のコンマゼロ秒点を合わせるような詳細なレベルで行う。そして、この第２段階の秒修正が完了したら、電波受信処理を中断して、次の秒修正受信処理のタイミングまで待機する。
【００３９】
一方、電波状況が悪くて、上記の第１〜第５の受信ウインドウ期間Ｗ０〜Ｗ４に受信した信号を所定のデータパルスと判別できなかった場合、すなわち、第１受信ウインドウ期間Ｗ０で０データパルスとポジションマーカパルスＰ０の判別ができなかったり、第２〜第５の受信ウインドウ期間Ｗ１〜Ｗ４の受信信号から０データパルスの判別ができなかった場合、電波状況が悪いものとして秒修正の処理は実行しない。このような場合には、何度かリトライを行って、リトライの結果でも所定のデータパルスの判別がなされなかった場合には、電波状況が悪いものとして今回の秒修正受信処理は中止し、次の秒修正受信処理のタイミングまで待機する。
【００４０】
制御回路１０は、この秒修正受信処理が連続して失敗となった回数をカウントする。また、秒修正受信処理の間隔もあわせて計時することで、通常モードでの電波受信処理が成功してから或いは最後に秒修正受信処理が成功してからの経過時間の計時を行う。
【００４１】
そして、秒修正受信処理で連続して失敗となり、その次の機会に秒修正受信処理が開始されたときには、制御回路１０は、上述した第１〜第５の受信ウインドウ期間Ｗ０〜Ｗ４を広げるように補正して電波受信処理を行う。この補正処理は、秒修正の失敗期間が長くなれば、それだけ時計回路１５で計時されている時間の誤差が大きくなり、第１〜第５の受信ウインドウ期間Ｗ０〜Ｗ４から受信対象のデータパルスが外れてしまう可能性が高くなるので、これを防止して受信対象のデータパルスを第１〜第５の受信ウインドウ期間Ｗ０〜Ｗ４に収めるためのものである。
【００４２】
第１〜第５の受信ウインドウ期間Ｗ０〜Ｗ４は、例えば、初期状態で２秒程度であり、その後、秒修正が連続で失敗する期間が１日経過するごとに０．５秒程度ずつ幅が広げられるように設定される。
【００４３】
そして、幅広に設定された第１〜第５の受信ウインドウ期間Ｗ０〜Ｗ４で、上記と同様に秒修正受信処理を実行し、受信に成功すれば、次の受信処理から第１〜第５の受信ウインドウ期間Ｗ０〜Ｗ４を初期状態の時間幅に戻す一方、再び受信に失敗した場合には、次の受信処理で再び第１〜第５の受信ウインドウ期間Ｗ０〜Ｗ４の時間幅が広げられるようになっている。そして、最長で７日間受信失敗が続いたら、秒の誤差も大きくなったと考えられるので、次の電波受信処理では秒修正受信処理は行わずに、１フレームの全期間のタイムコードを受信する通常モードでの電波受信処理を行うようにされる。
【００４４】
次に、上記の電波受信処理の制御手順についてフローチャートを用いて詳細に説明する。
【００４５】
図７は、制御回路により実行される通常受信処理の処理手順を示すフローチャートである。
【００４６】
この通常受信処理は、タイムコードをデータ誤認が無いように複数フレーム分（例えば３フレーム分）受信して、エラーなく複数フレーム受信できたら、そのデータ内容に基づいて時計回路１５の時刻修正を行うものである。
【００４７】
通常受信処理が開始されたら、先ず、タイムコードの受信フレーム数をカウントする変数Ｎに初期値「０」を代入し（ステップＱ１）、次いで、受信処理を開始して幾つかのデータパルスを復調し、受信されたデータパルスの立ち上がりタイミングとデータ判別処理の基準タイミングとの同期を図る（ステップＱ２）。
【００４８】
次に、データパルスの復調とデータ判別を連続的に行ってタイムコードのフレーム開始点、すなわち、ポジションマーカパルスＰ０とマーカパルスＭとが並んだ位置を検出する（ステップＱ３）。そして、フレーム開始点を検出したら、それに続いて、１フレーム分のタイムコードを受信して（ステップＱ４）、データエラーが無いかパリティチェックを行う（ステップＱ５）。
【００４９】
その後、タイムコードの受信が２フレーム目以降か否か確認し（ステップＱ６）、２フレーム目以降であれば、前回受信したタイムコードとの比較評価を行う（ステップＱ７）。つまり、前回受信したタイムコードのデータ値と比較を行って、前回受信した時刻と今回受信した時刻との差分だけ異なるデータ値なっているかチェックを行う。
【００５０】
そして、ステップＱ５のパリティチェックとステップＱ７の比較評価でエラーが有ったか否かを判別し（ステップＱ８）、エラーが無ければ次のステップＱ１０に進むが、エラーが有ればステップＱ９に移行する。その結果、ステップＱ９に移行したら、エラーが所定回数以内か判別し、所定回数以内であれば再びステップＱ４に戻って、次のフレームの受信処理から繰り返すが、エラーが所定回数を超えていれば、通常受信を失敗としてエラー処理へ移行する。
【００５１】
一方、ステップＱ８の判別処理でエラー無しと判別されたら、受信フレーム数を示す変数Ｎの更新（ステップＱ１０）と、３フレーム分の受信が済んだか否かの確認（ステップＱ１１）を行って、３フレーム分の受信が未だならステップＱ４に戻って、次のフレームの受信処理から繰り返す。また、３フレーム分の受信が済んでいれば、受信したタイムコードのデータ値に基づき年月日時分秒の値を算出し、時計回路１５のデータ値をこの値で書き換える時刻修正処理を行う（ステップＱ１２）。
【００５２】
そして、時刻修正を済ませたら、次に秒修正受信処理を行う時間をセットして、この通常受信処理を終了する。
【００５３】
図８には、制御回路により実行される秒修正受信処理のフローチャートを示す。
【００５４】
秒修正受信処理では、受信処理を開始する設定時刻になるまで待機して（ステップＱ２１）、受信時刻になったら処理を進める。ここで、通常受信モードにおける受信成功後の受信処理でステップＱ２２に進んだ場合には、該ステップで受信ウインドウ期間Ｗ０〜Ｗ４の初期化を行う。すなわち、５８秒、４秒、１４秒、２４秒、３４秒の前後を跨ぐ２秒の期間を初期の受信ウインドウ期間Ｗ０〜Ｗ４として設定する。
【００５５】
次いで、電波受信ＩＣ２０を受信ウインドウ期間Ｗ０〜Ｗ４のみ間歇的に動作させる秒修正モード用の動作設定を行う（ステップＱ２３）。この動作設定処理には、例えば、電波受信ＩＣ２０の中で検波信号から高周波ノイズを除去するローパスフィルタの通過帯域を、より狭い帯域のものに切り換えるような処理を含ませても良い。秒修正受信処理では、信号波形を間歇的に受信し、且つ、受信する信号波形はパルス幅の大きな０データパルスが主であるので、ローパスフィルタの通過帯域を狭めてノイズの少ない信号波形を得るようにしても、受信処理に支障を来たさない。従って、例えば、電波受信ＩＣ２０に帯域の切り換えが可能なローパスフィルタを形成しておき、ここでその切り換えを行うようにすると良い。
【００５６】
動作設定が完了したら、先ず、第１受信ウインドウ期間Ｗ０で信号受信を行って（ステップＱ２４）、制御回路１０によりデータパルスの判別処理を行う（ステップＱ２５）。そして、０データパルスとポジションマーカパルスＰ０が確認されれば、これらの信号波形から秒検出を行って、上述した第１段階の大まかな秒修正処理を行う（ステップＱ２６）。
【００５７】
次いで、第２〜第５受信ウインドウ期間Ｗ１〜Ｗ４で信号受信を行って受信対象の固定された０データパルスのデータ判別を行う（ステップＱ２７）。そして、これらのデータパルスが確認されれば、次いで、これら４つの０データパルスの受信データの平均化を行い、平均化して得られた綺麗な０データパルスの信号波形に基づいて、詳細な秒検出を行う（ステップＱ３４）。そして、この秒検出に基づき時計回路１５の秒データの修正を行う（ステップＱ３５）。
【００５８】
一方、ステップＱ２５，Ｑ２８のデータパルスの確認処理で、所定のデータパルスが確認できない場合には、正常な信号受信がなされていないものとして、ステップＱ２９に移行する。ステップＱ２９では受信失敗が設定回数（例えば３回など）以内か判別し、設定回数以内であればステップＱ２４に戻って信号受信から繰り返すが、設定回数を超えていれば電波状況が非常に悪い等で今回の秒修正受信処理は失敗であると判断してステップＱ３０に移行する。
【００５９】
ステップＱ３０では、前回の受信処理の成功時から現在までの経過時間が７日以内か判別し、７日以内であれば受信ウインドウ期間Ｗ０〜Ｗ４の時間幅を所定量だけ広げる（ステップＱ３２）。例えば、秒修正受信処理が１日に一回の割り合いで実行されるのであれば、受信ウインドウ期間Ｗ０〜Ｗ４の時間幅を０．５秒広げる設定を行う。この処理により、受信処理が成功しないまま経過時間が長くなって、時計回路１５の秒の誤差も大きくなっていった場合に、受信ウインドウ期間Ｗ０〜Ｗ４の時間幅がそれに対応して広くなり、次の受信処理において時計回路１５の秒の誤差に対応させることが可能となる。
【００６０】
そして、次回の受信処理用に受信ウインドウ期間Ｗ０〜Ｗ４の時間幅を広げる設定をしたら、次回の秒修正処理を実行する時刻をセットして（ステップＱ３３）、次の設定時刻になるまで待機する（ステップＱ２１）。
【００６１】
また、ステップＱ３０の判別処理で最後の受信成功時から７日を超えていると判別された場合には、秒の誤差も大きくなっていると考えられるため、次の受信処理で通常受信モードの受信を行うべく、通常受信モードでの受信処理を実行する時刻をセットする（ステップＱ３１）。そして、通常受信モードへ移行する。
【００６２】
このような秒修正受信処理により、先に説明したような受信ウインドウ期間Ｗ０〜Ｗ４での信号受信が行われ、予め固定的に配されている０データパルスに基づいて時計回路１５の秒修正が行われる。また、受信失敗が続いて時計回路１５の秒誤差も大きくなってきた場合には、受信ウインドウ期間Ｗ０〜Ｗ４の時間幅を広くして対応するようになっている。
【００６３】
以上のように、この実施の形態の電波時計１ならびに電波受信装置（電波受信ＩＣ２０と制御回路１０等）によれば、タイムコードのフレーム中の所定の位置に固定的に配されているパルス幅の一番広い０データパルスを用いて秒検出や秒修正を行うので、パルス幅の小さいデータパルスを用いて秒検出を行う場合と比較して、外来ノイズの影響が少なくなり、電波状況の悪いときでも失敗の少ない秒修正を行うことができる。
【００６４】
また、秒修正の際に、複数個の０データパルスの信号波形を足し合わせて平均化した波形を用いているので、ノイズの影響をさらに排除して、より正確な秒修正を行うことができる。また、第２〜第５の受信ウインドウ期間Ｗ１〜Ｗ４で受信されるデータが０データパルスであると予め分かっているので、データ判別の結果が０データパルスでなかった場合に電波環境が悪いとすぐに判断することができる。
【００６５】
また、第１〜第５の受信ウインドウ期間Ｗ０〜Ｗ４でのみ受信動作を行って秒検出しているので、例えば、秒修正のためにタイムコードの全データを受信する方式などと比較して、電波受信に掛かる無駄な電力消費の低減が図れる。また、受信失敗によりリトライを繰り返す場合でも、１回の受信処理で電波受信ＩＣ２０を動作させる期間が短いので、全体としても消費電力は大きくならない。このような消費電力の低減は、小型電池で駆動する腕時計用の時計モジュールなどにおいて電池寿命を延ばすことが出来るので特に効果的である。
【００６６】
また、第１〜第５の受信ウインドウ期間Ｗ０〜Ｗ４で受信対象としている固定されたデータパルスが、所定のリトライ回数を繰り返しても確認できないときには、受信失敗として次の受信処理のタイミングまで受信処理を中止するので、電波状況が非常に悪い状況で繰り返し受信処理を行って無駄な電力消費が大きくなるという不都合を回避できる。
【００６７】
さらに、秒修正受信処理の間、受信ウインドウ期間Ｗ０〜Ｗ４以外の期間は、受信回路（アンプやＡＧＣ回路や検波回路等）２２への電力供給が停止されているので、無駄な消費電流を確実に低減することができる。
【００６８】
また、秒修正受信処理で受信失敗となって時計回路１５の秒修正がなされない時間が長くなった場合には、受信ウインドウ期間Ｗ０〜Ｗ４の時間幅が広く設定されるので、受信失敗が続いて時計回路１５の秒の誤差が大きくなった場合でも、受信対象のデータパルスが受信ウインドウ期間Ｗ０〜Ｗ４の範囲から外れてしまうことを回避することができる。
【００６９】
また、秒修正受信処理においては、先ず、５８−５９秒の箇所にある０データパルスとポジションマーカパルスＰ０とを受信してこれにより第１段階の大まかな秒修正を行い、次に、複数の固定的な０データパルスを受信して第２段階の詳細な秒修正を行うので、第１段階の秒修正によって、続いて受信する固定的な０データパルスの位置を間違えることがなく、それにより、続く第２段階の秒修正も正確に行うことができる。
【００７０】
図９には、秒修正受信処理の第２例のフローチャートを示す。同図において、ステップＱ２１〜Ｑ３３の処理は、図８のフローチャートと同様のものであり、ステップＱ４１〜Ｑ４３が追加されている点が、図８のフローチャートと異なる。
【００７１】
なお、上記実施形態では、秒修正受信処理において、先ず始めに５８−５９秒の箇所にある０データパルスとポジションマーカパルスＰ０とを受信して、これらにより第１段階の大まかな秒修正を行うように説明したが、この構成の一部を変更することも可能である。
【００７２】
例えば、図９のフローチャートに示すように、ステップＱ２３で秒修正モード用の動作設定を行った後などに、前回の受信処理（通常受信処理又は秒修正受信処理）が成功しているか否かを確認し（ステップＱ４１）、前回の受信処理が失敗していればステップＱ２４に移行して、上述した図８のフローチャートと同様の処理を実行するが、前回の受信処理が成功していれば、時計回路１５の秒誤差はさほど大きくないと判断できるため、ステップＱ４２に移行して、次のような処理で時計回路１５の秒修正を行うようにしても良い。
【００７３】
すなわち、前回の受信処理が成功している場合には、先ず、第１〜第５受信ウインドウ期間Ｗ０〜Ｗ４で固定的な０データパルスの信号受信とその判別とを行う（ステップＱ４２）。そして、受信した信号が０データパルスであるか確認し（ステップＱ４３）、０データパルスと確認されたらステップＱ３４にジャンプして、これらの０データパルスによって詳細な第２段階の秒修正を行う（ステップＱ３４，Ｑ３５）。すなわち、第１受信ウインドウ期間Ｗ０で受信したポジションマーカパルスＰ０の判別や、第１受信ウインドウ期間Ｗ０で受信した０データパルスやポジションマーカパルスＰ０に基づく第１段階の大まかな秒修正処理を省略する。
【００７４】
このような秒修正受信処理によれば、時計回路１５の秒誤差があまり大きくない場合に、受信処理の無駄がさらに省けて、さらなる消費電力の低減を図ることができる。
【００７５】
なお、図９の秒修正受信処理では、前回の受信処理が成功している場合にのみ第１段階の秒修正等を省くようにしているが、時計回路１５の秒誤差が余り大きくなっていない場合であれば、例えば、受信失敗が１回の場合や２回の場合でも、ステップＱ４２に移行して第１段階の秒修正処理等を省くようにしても良い。
【００７６】
［第２実施形態］
図１０には、第２実施形態の秒修正受信処理における受信ウインドウ期間のスライドパターンの一例を表わした説明図を示す。
【００７７】
第２実施形態の電波時計は、秒修正受信処理の処理内容の一部を第１実施形態のものから変更したもので、その他の部分は第１実施形態とほぼ同様のものである。同様の部分については説明を省略する。
【００７８】
先に説明したように、第１実施形態では、秒修正受信処理で信号受信が失敗した場合に、次の秒修正受信処理までに比較的大きな経過時間が開いて時計回路１５の秒の誤差が大きくなると考えられることから、この誤差の拡大に対応して、第１〜第５受信ウインドウ期間Ｗ０〜Ｗ４の時間幅を広げる制御を行っている。また、受信失敗が複数回続いて受信成功からの経過時間が長くなるに従って、上記第１〜第５受信ウインドウ期間Ｗ０〜Ｗ４の時間幅が徐々に広がるように制御している。
【００７９】
第２実施形態は、上記のような秒誤差の拡大に対応するために、受信ウインドウ期間Ｗ０〜Ｗ４の時間幅を広げるのではなく、受信ウインドウ期間Ｗ０〜Ｗ４を前後にスライドさせて複数フレームにわたって複数回の受信処理を行うようにしたものである。
【００８０】
また、第１実施形態では、第１受信ウインドウ期間Ｗ０において、固定的に配された０データパルスと、それに隣接するポジションマーカパルスＰ０を受信して、これら信号受信に基づいて大まかな秒修正を行うようにしているが、第２実施形態では、４秒、１４秒、２４秒、３４秒、５８秒にある固定的に配された５つの０データパルスのみを受信対象とし、これらの０データパルスのみから秒修正を行うようにしたものである。
【００８１】
第２実施形態では、第１〜第５の受信ウインドウ期間Ｗ０〜Ｗ４は、それぞれ１個のデータパルスが必ず入る２秒程度の期間に設定される。また、時計回路１５の計時に基づき、４−５秒、１４−１５秒、２４−２５秒、３４−３５秒、５８−５９秒の期間が含まれるように第１〜第５の受信ウインドウ期間Ｗ０〜Ｗ４の位置が設定される。
【００８２】
この第２実施形態の秒修正受信処理においては、図１０に示すように、前回の受信成功時から経過時間が長くなって時計回路１５の秒の誤差が大きくなると、図１０の実線で示すように受信ウインドウ期間Ｗ０ａ〜Ｗ４ａが所望の位置から大きくずれてしまう。
【００８３】
そこで、第２実施形態では、先ず、１回目の受信フレームにおいては、時計回路１５の計時に従った受信ウインドウ期間Ｗ０ａ〜Ｗ４ａで受信処理を行い、そして、全ての受信ウインドウ期間Ｗ０ａ〜Ｗ４ａにおいて受信対象の０データパルスが正常に受信されているか確かめる。ここで、例えば前回の受信成功時からさほど経過時間が経っていない場合などで、受信対象の５つの０データパルスが受信されたのであれば、これらの受信信号を用いてコンマゼロ秒の検出と時計回路１５の秒修正とを行う。すなわち、５つの０データパルスの信号波形を足し合わせて平均化し、その立ち上がりの時点をコンマゼロ秒の時点として検出する。
【００８４】
一方、図１０に示すように、時計回路１５の秒の誤差が大きくなっていると、受信ウインドウ期間Ｗ０ａ〜Ｗ４ａは４−５秒、１４−１５秒、２４−２５秒、３４−３５秒、５８−５９秒の期間から外れてしまうので、続く２回目のフレームにおいて、図１０の点線で示すように受信ウインドウ期間Ｗ０ｂ〜Ｗ４ｂを前又は後ろにスライドさせて、信号受信を行う。そして、このスライドさせた受信ウインドウ期間Ｗ０ｂ〜Ｗ４ｂで受信対象の０データパルスが受信されているか確認する。図１０の例では、後方にスライドさせた受信ウインドウ期間Ｗ０ｂ〜Ｗ４ｂが本来の期間に合致しているので、この２回目の受信ウインドウ期間Ｗ０ｂ〜Ｗ４ｂの受信処理によって、受信対象の０データパルスが正常に受信される。そして、５つの０データパルスが受信されれば、この受信信号を用いてゼロ秒の検出と時計回路１５の秒修正とを行う。
【００８５】
図１１には、前回受信成功時からの経過時間に伴う受信ウインドウ期間の変化パターンの一例を表わした説明図を示す。同図（ａ）は秒修正前の時計回路１５の秒の値を、（ｂ）〜（ｅ）には、前回受信成功時からの経過時間が１日〜６日と変化した場合における受信ウインドウ期間の変化パターンを示している。
【００８６】
上記のように受信ウインドウ期間をスライドさせるパターンは、次のようなアルゴリズムで決定される。先ず、図１１に示すように、前回受信成功時からの経過時間が長くなるに従って、受信ウインドウ期間をスライドさせて信号受信を行う回数を、例えば３回、５回、７回、９回と多くなっていくようにする。また、受信ウインドウ期間はスライド前の受信ウインドウ期間と少しオーバーラップするように前後にスライドさせる。
【００８７】
例えば、５８−５９秒区間の信号を受信する第１受信ウインドウ期間Ｗ０では、前回の受信成功時から未だ経過時間が余り大きくなっていない場合には、時計回路１５の計時値で５８−５９秒区間をまたぐような１つの期間に設定される。
【００８８】
次に、前回の受信成功時から１日経過している場合には、図１１（ｂ）に示すように、第１受信ウインドウ期間Ｗ０を前後にスライドさせた２つの受信ウインドウ期間を追加して受信回数を２回増加させる。そして、先ず、タイムコードの１回目の受信フレームにおいて中央の受信ウインドウ期間Ｗ０で受信処理を行い、次の２回目の受信フレームにおいて後方にスライドさせた受信ウインドウ期間Ｗ０で受信処理を行う。さらに、次の３回目の受信フレームにおいては前方にスライドさせた受信ウインドウ期間Ｗ０で受信処理を行う。つまり、タイムコードの３フレーム分の時間をかけて１回目から３回目の３つの受信ウインドウ期間Ｗ０の受信処理を行う。
【００８９】
同様に、前回受信成功時から２〜３日経過した場合には、図１１（ｃ）に示すように、さらに第１受信ウインドウ期間Ｗ０を前後にスライドさせた別個の受信ウインドウ期間を追加して受信回数を２回増加させる。スライド量も１日経過の場合とほぼ同様である。そして、中央の受信ウインドウ期間Ｗ０からタイムコードの受信フレームごとに段々中央から離れていく順番で前後の受信ウインドウ期間Ｗ０に切り換えて受信処理を行う。
【００９０】
また同様に、前回受信成功時から４〜５日経過、６日経過と、経過時間が長くなるに従って、図１１（ｄ），（ｅ）に示すように、受信ウインドウ期間Ｗ０を前後にスライドさせた別個の受信ウインドウ期間を追加して受信回数を２回ずつ増加させていく。また、前回受信成功時から７日経過した場合には、受信ウインドウ期間Ｗ０をスライドさせて受信回数を追加することは終了し、第１実施形態と同様に通常受信モードへ移行させる。
【００９１】
なお、図１１の例では、第１受信ウインドウ期間Ｗ０についてのみ示しているが、第２〜第５受信ウインドウ期間Ｗ１〜Ｗ４についても同様にする。
【００９２】
このように、前後にスライドさせた受信ウインドウ期間を追加して受信回数を多くすることで、時計回路１５の秒の誤差が大きくなっても、その内の何れかの受信ウインドウ期間で、受信対象である所定のデータパルスが受信されることとなって、この信号波形を用いて、第１実施形態の処理と同様に時計回路１５の秒修正を行うことが可能となる。
【００９３】
なお、受信ウインドウ期間を前後にスライドさせて受信回数を増加させた場合でも、その途中の受信回数で全ての受信ウインドウ期間Ｗ０〜Ｗ４で受信対象の０データパルスが受信されたときには、残りの受信回数の受信処理は省略し、受信された０データパルスの信号波形を用いて秒修正の処理を行うようにすれば良い。
【００９４】
この第２実施形態の電波時計および電波受信装置によれば、複数の受信ウインドウ期間Ｗ０〜Ｗ４でパルス幅の一番広い０データパルスのみを受信し、この０データパルスの受信波形を用いて秒修正を行うようにしたので、パルス幅の小さいデータパルスを用いて秒検出を行う場合と比較して、電波状況の悪いときでも失敗の少ない秒検出を行うことが出来る。
【００９５】
また、前回の受信成功時からの経過時間をカウントしてそれに応じて受信ウインドウ期間Ｗ０〜Ｗ４を前後にスライドさせて受信回数を多くするので、時計回路１５の秒誤差が大きくなった場合でも、それに対応させて受信対象の０データパルスを何れかの受信ウインドウ期間Ｗ０〜Ｗ４に含ませることが可能となる。そして、第１〜第５受信ウインドウ期間Ｗ０〜Ｗ４の全てで０データパルスの受信が確認できたときに、これらをタイムコードのフレーム中に固定的に配された０データパルスであると認識して、秒修正処理に使用するので、間違いの少ない秒修正処理が可能となる。
【００９６】
なお、本発明は、上記実施の形態に限られるものではなく、様々な変更が可能である。  例えば、第２実施形態では、タイムコードの４秒、１４秒、２４秒、３４秒、５８秒の各時点に固定的に配されている５つの０データパルスを受信対象として、これらにより秒修正を行うようにしているが、これらの３秒、１３秒、２３秒、３３秒、５７秒など、同様の間隔でたまたま０データパルスが並んだときに、これらの固定的でない０データパルスを５つの受信ウインドウ期間Ｗ０〜Ｗ４で受信して、間違った秒検出を行ってしまうという懸念もある。従って、この第２実施形態においても、秒の誤差が大きくなった場合には、第１受信ウインドウ期間Ｗ０でポジションマーカパルスＰ０も受信して、それにより第１段階の大まかな秒修正を行うようにしても良い。
【００９７】
また、第１と第２実施形態においては、複数の０データパルスを用いて秒修正を行う構成を示したが、例えば、タイムコードの４秒時点に固定的に配されている０データパルスなど、１個の０データパルスのみを受信して、この０データパルスの立ち上がり時点の４秒前を０秒として時計回路１５の秒修正を行うようにしても良い。このような場合でも、パルス幅の小さなマーカパルスＭを用いて秒修正を行うよりも、外来ノイズの影響を小さくして失敗の少ない秒修正が可能となる。
【００９８】
また、第１実施形態では、受信ウインドウ期間の時間幅を始め２秒程度とし、前回の受信成功から１日経過するごとに０．５秒ずつ広げていく構成を示したが、これらの時間幅は時計回路１５の計時精度などに応じて適宜変更可能である。
【００９９】
また、第１実施形態や第２実施形態では、秒修正のためにタイムコードの４秒、１４秒、２４秒、３４秒、５８秒の時点に固定的に配された０データパルスを受信する構成を示したが、他の時点で固定的に配されている０データパルスを受信するようにしても良い。
【０１００】
また、第１実施形態においては、第１段階の秒修正を行うのに５８秒と５９秒の０データパルスとポジションマーカパルスＰ０を利用しているが、マーカパルスＭや５５秒〜５７秒の固定的に配された０データパルスを利用するようにしても良い。
【０１０１】
その他、実施の形態で示した細部構成および方法は、発明の趣旨を逸脱しない範囲で適宜変更可能である。
【図面の簡単な説明】
【０１０２】
【図１】本発明の実施の形態の電波時計の内部構成を示すブロック図である。
【図２】秒検出受信処理における受信ウインドウ期間の一例を示した説明図を示す。
【図３】秒修正受信処理で取得される受信データ（ａ）と受信時刻（ｂ）の一例を示した説明図である。
【図４】秒修正受信処理により得られる０データパルスの波形図を示すもので、（ａ）は第１段階の秒修正に使用する１個の０データパルスの波形図、（ｂ）は第２段階の秒修正で使用する複数個の０データパルスを平均化した波形図である。
【図５】パルス幅の小さなデータパルスに対する外来ノイズの影響を説明する波形図である。
【図６】パルス幅の大きなデータパルスに対する外来ノイズの影響を説明する波形図である。
【図７】制御回路により実行される通常受信処理の処理手順を示すフローチャートである。
【図８】制御回路により実行される秒修正受信処理の処理手順を示すフローチャートである。
【図９】秒修正受信処理の第２例の処理手順を示すフローチャートである。
【図１０】第２実施形態の秒修正受信処理における受信ウインドウ期間のスライドパターンの一例を説明する図である。
【図１１】前回受信成功時からの経過時間に伴う受信ウインドウ期間の変化パターンの一例を説明する図である。
【符号の説明】
【０１０３】
１      電波時計
１０    制御回路
１１    表示手段
１２    記憶手段
１３    入力手段
１４    発振回路
１５    時計回路
１７    電源
ＳＷ１  スイッチ回路
１９    アンテナ
２０    電波受信ＩＣ
２１    同調回路
２２    受信回路
Ｗ０〜Ｗ４  第１〜第４受信ウインドウ期間
Ｗ０ａ〜Ｗ４ａ  スライド前の第１〜第４受信ウインドウ期間
Ｗ０ｂ〜Ｗ４ｂ  スライドされた第１〜第４受信ウインドウ期間
【図１】
0005125498.tif 000002
【図２】
0005125498.tif 000003
【図３】
0005125498.tif 000004
【図４】
0005125498.tif 000005
【図５】
0005125498.tif 000006
【図６】
0005125498.tif 000007
【図７】
0005125498.tif 000008
【図８】
0005125498.tif 000009
【図９】
0005125498.tif 000010
【図１０】
0005125498.tif 000011
【図１１】
0005125498.tif 000012